(57)【要約】本開示の態様は、量子操作のためにイオン鎖内のイオンの量子状態を制御するための技術を説明する。例えば、第１の方向からイオン鎖内のイオンにグローバル光ビームを提供すること、および第１の方向とは異なる第２の方向からイオン鎖内のイオンのサブセット内の各イオンにそれぞれのアドレス指定光ビームを提供することを含む方法が説明される。この方法はさらに、イオン鎖とともに、量子操作の量子ゲートのシーケンスにおける１つまたは複数の量子ゲートを実施するために、マルチチャネル音響光学変調器（ＡＯＭ）のそれぞれのチャネルを使用することにより提供されるアドレス指定光ビームの各々を動的に制御することをさらに含む。方法を実行するためのマルチチャネルＡＯＭを含む量子情報処理（ＱＩＰ）システムの態様についても説明される。【選択図】図３
2021531578.tif 000002
【特許請求の範囲】
【請求項１】
量子操作のためにイオン鎖内のイオンの量子状態を制御する方法であって、
第１の方向から、イオン鎖内のイオンに、グローバル光ビームを提供することと、
第１の方向とは異なる第２の方向から、イオン鎖内のイオンのサブセット内の各イオンに、それぞれのアドレス指定光ビームを提供することと、
イオン鎖内のイオンのサブセットとともに、量子操作の量子ゲートのシーケンスにおける１つまたは複数の量子ゲートを実施するために、マルチチャネル音響光学変調器（ＡＯＭ）のそれぞれのチャネルを使用することにより提供されるアドレス指定光ビームの各々を動的に制御することと、
を含む、方法。
【請求項２】
前記第２の方向は、前記第１の方向と反対である、請求項１に記載の方法。
【請求項３】
前記第２の方向は、前記第１の方向から９０度オフセットされている、請求項１に記載の方法。
【請求項４】
イオン鎖内のイオンの各々の蓄積された位相シフトを監視することをさらに含み、提供されるアドレス指定光ビームの各々を動的に制御することは、提供されるアドレス指定光ビームの各々を独立して変調して、それぞれのイオンに蓄積された位相シフトを補正することを含む、請求項１に記載の方法。
【請求項５】
１つまたは複数の量子ゲートを実施するために提供されるアドレス指定光ビームの各々を動的に制御することは、２キュービット回転および２キュービットゲートの組み合わせが、グローバル光ビームの相対的な光学位相および、ラマン遷移を駆動するそれぞれのアドレス指定光ビームの影響を受けないように、２キュービットゲートの前に単一キュービット回転を実施し、２キュービットゲートの後に別の単一キュービット回転を実施することを含む、請求項１に記載の方法。
【請求項６】
提供されるアドレス指定光ビームの各々を動的に制御することは、提供されるアドレス指定光ビームの各々を独立して変調して、それぞれのアドレス指定光ビームの１つまたは複数の光ビーム特性を制御することを含む、請求項１に記載の方法。
【請求項７】
前記１つまたは複数の光ビーム特性は、周波数、位相、または振幅のうちの１つまたは複数を含む、請求項６に記載の方法。
【請求項８】
提供されるアドレス指定光ビームの各々を独立して変調することは、ＡＯＭ内のそれぞれのチャネルに適用される無線周波数（ＲＦ）信号を独立して変調して、それぞれのアドレス指定光ビームの光ビーム特性を変更することを含む、請求項６に記載の方法。
【請求項９】
量子操作の量子ゲートのシーケンスは、１つまたは複数の単一キュービットゲート、１つまたは複数の２キュービットゲート、またはそれらの組み合わせを含む、請求項１に記載の方法。
【請求項１０】
前記１つまたは複数の単一キュービットゲートのいずれか１つについて、それぞれのアドレス指定光ビームは、スピンフリップを生成するために単一の周波数またはトーンを有するように動的に制御される、請求項９に記載の方法。
【請求項１１】
前記１つまたは複数の２キュービットゲートのいずれか１つについて、それぞれのアドレス指定光ビームは、運動側波帯を駆動するために２つの周波数またはトーンを有するように動的に制御される、請求項９に記載の方法。
【請求項１２】
その後、前記第２の方向から、イオン鎖内のイオンの異なるサブセット内の各イオンに、それぞれのアドレス指定光ビームを提供すること、
およびイオン鎖内のイオンの異なるサブセットとともに、量子操作の量子ゲートのシーケンスにおける１つまたは複数の異なる量子ゲートを実施するために、マルチチャネルＡＯＭのそれぞれのチャネルを使用することにより、イオン鎖内のイオンの異なるサブセットに提供されるアドレス指定光ビームの各々を動的に制御すること、
をさらに含む、請求項１に記載の方法。
【請求項１３】
前記第２の方向は前記第１の方向と反対であり、または前記第２の方向は前記第１の方向から９０度オフセットされている、請求項１２に記載の方法。
【請求項１４】
前記第１の方向から提供されるグローバル光ビームおよび前記第２の方向から提供されるアドレス指定光ビームの各々は、逆伝搬ラマン光ビームとして動作する、請求項１に記載の方法。
【請求項１５】
量子操作のためのイオン鎖内のイオンの量子状態を制御する量子情報処理（ＱＩＰ）システムであって、
イオン鎖を実施するように構成されたイオントラップと、
第１の方向から、イオン鎖内のイオンにグローバル光ビームを提供するように構成された第１の光源と、
第１の方向とは異なる第２の方向から、イオン鎖内のイオンのサブセット内の各イオンに、それぞれのアドレス指定光ビームを提供するように構成された第２の光源のセットと、
マルチチャネル音響光学変調器（ＡＯＭ）と、
イオン鎖内のイオンのサブセットとともに、量子操作の量子ゲートのシーケンスにおける１つまたは複数の量子ゲートを実施するために、マルチチャネルＡＯＭ内のそれぞれのチャネルを使用することにより、提供されるアドレス指定光ビームの各々を制御するために、第２の光源のセットを動的に制御するように構成された光学コントローラと、
を備える、ＱＩＰシステム。
【請求項１６】
前記第２の方向は前記第１の方向と反対である、請求項１５に記載のＱＩＰシステム。
【請求項１７】
前記第２の方向は、前記第１の方向から９０度オフセットされている、請求項１５に記載のＱＩＰシステム。
【請求項１８】
第２の光源のセットを動的に制御して量子ゲートのシーケンスにおける１つまたは複数の量子ゲートを実施するために、量子操作の量子ゲートのシーケンスに関連する命令を光学コントローラに提供するように構成されたアルゴリズムコンポーネントをさらに備える、請求項１５に記載のＱＩＰシステム。
【請求項１９】
光学コントローラはさらに、イオン鎖内のイオンの各々の蓄積された位相シフトを監視するように構成され、
光学コントローラは、１つまたは複数の波形発生器を含み、そして、それぞれのイオンに蓄積された位相シフトを補正するために、１つまたは複数の波形発生器を用いて、提供されるアドレス指定光ビームの各々を独立して変調することによって、提供されるアドレス指定光ビームの各々を動的に制御するように構成される、
請求項１５に記載のＱＩＰシステム。
【請求項２０】
１つまたは複数の量子ゲートを実施するために、提供されるアドレス指定光ビームの各々を制御するために第２の光源のセットを動的に制御するように構成された光学コントローラは、２キュービット回転および２キュービットゲートの組み合わせが、グローバル光ビームの相対的な光学位相および、ラマン遷移を駆動するそれぞれのアドレス指定光ビームの影響を受けないように、２キュービットゲートの前に単一キュービット回転を実施し、２キュービットゲートの後に別の単一キュービット回転を実施するようにさらに構成される、請求項１５に記載のＱＩＰシステム。
【請求項２１】
光学コントローラは、１つまたは複数の波形発生器を含み、そして、それぞれのアドレス指定光ビームの１つまたは複数の光ビーム特性を制御するために、１つまたは複数の波形発生器を用いて、提供されるアドレス指定光ビームの各々を独立して変調することによって、提供されるアドレス指定光ビームの各々を動的に制御するように構成される、請求項１５に記載のＱＩＰシステム。
【請求項２２】
前記１つまたは複数の光ビーム特性は、周波数、位相、または振幅のうちの１つまたは複数を含む、請求項２１に記載のＱＩＰシステム。
【請求項２３】
１つまたは複数の波形発生器を用いて、提供されるアドレス指定光ビームの各々を独立して変調することは、ＡＯＭ内のそれぞれのチャネルに適用される無線周波数（ＲＦ）信号を独立して変調して、それぞれのアドレス指定光ビームの光ビーム特性を変更することを含む、請求項２１に記載のＱＩＰシステム。
【請求項２４】
量子操作の量子ゲートのシーケンスは、１つまたは複数の単一キュービットゲート、１つまたは複数の２キュービットゲート、またはそれらの組み合わせを含む、請求項１５に記載のＱＩＰシステム。
【請求項２５】
前記１つまたは複数の単一キュービットゲートのいずれか１つについて、光学コントローラは、スピンフリップを生成するために単一の周波数またはトーンを有するように、それぞれのアドレス指定光ビームを動的に制御するように構成される、請求項２４に記載のＱＩＰシステム。
【請求項２６】
前記１つまたは複数の２キュービットゲートのいずれか１つについて、光学コントローラは、運動側波帯を駆動するために２つの周波数またはトーンを有するように、それぞれのアドレス指定光ビームを動的に制御するように構成される、請求項２４に記載のＱＩＰシステム。
【請求項２７】
第２の光源のセットは、その後、前記第２の方向から、イオン鎖内のイオンの異なるサブセット内の各イオンに、それぞれのアドレス指定光ビームを提供するように構成され、
光コントローラは、イオン鎖内のイオンの異なるサブセットとともに、量子操作の量子ゲートのシーケンスにおける１つまたは複数の異なる量子ゲートを実施するために、マルチチャネルＡＯＭのそれぞれのチャネルを使用することにより、イオン鎖内のイオンの異なるサブセットに提供されるアドレス指定光ビームの各々を動的に制御するように構成される、
請求項１５に記載のＱＩＰシステム。
【請求項２８】
前記第２の方向は第１の方向と反対であり、または前記第２の方向は第１の方向から９０度オフセットされている、請求項２７に記載のＱＩＰシステム。
【請求項２９】
前記第１の方向から提供されるグローバル光ビームおよび前記第２の方向から提供されるアドレス指定光ビームの各々は、逆伝搬ラマン光ビームとして動作する、請求項１５に記載のＱＩＰシステム。
【発明の詳細な説明】
【技術分野】
【０００１】
［関連出願の相互参照］
本特許出願は、２０１９年７月１７日出願の「音響光学変調器によるマルチキュービット制御」と題する米国非仮特許出願第１６／５１４，０９９号および２０１８年７月２０日出願の「音響光学変調器によるマルチキュービット制御」と題する米国仮特許出願第６２／７０１，１２８号の優先権を主張し、その内容は参照によりその全体が本明細書に組み込まれる。
【０００２】
［政府のライセンス権］
本発明は、ＩＡＲＰＡによる賞第Ｗ９１１ＮＦ１６１００８２号の下で政府の支援を受けてなされた。政府は本発明に一定の権利を有している。
【背景技術】
【０００３】
本開示の態様は、一般に、逆伝搬光ビームを使用して量子ビット（キュービット）の状態を制御することに関する。
【０００４】
トラップされた原子は、量子情報処理の主要な実施（ｉｍｐｌｅｍｅｎｔａｔｉｏｎ）の１つである。原子ベースのキュービットは、量子コンピュータやシミュレータの量子メモリとして、量子ゲートとして使用でき、量子通信ネットワークのノードとして機能できる。トラップされた原子イオンに基づくキュービットは、属性のまれな組み合わせを楽しむ。例えば、トラップされた原子イオンに基づくキュービットは、非常に優れたコヒーレンス特性を有し、ほぼ１００％の効率で準備および測定でき、光またはマイクロ波フィールドなどの適切な外部制御フィールドとのクーロン相互作用を変調することにより、互いに容易に絡み合う（ｅｎｔａｎｇｌｅ）。これらの属性により、原子ベースのキュービットは、量子回路または量子ゲートの長いシーケンスを有する可能性のある量子計算や量子シミュレーションなどの拡張量子操作にとって魅力的なものになる。
【０００５】
原子ベースのキュービットの状態または情報の精度は、量子操作（ｑｕａｎｔｕｍ  ｏｐｅｒａｔｉｏｎ）中に蓄積する可能性のある体系的なエラーを回避するために重要であり、したがって、これらのタイプのエラーを修正または調整して、それらの影響を削減または排除する技術を開発することが望ましい。
【発明の概要】
【課題を解決するための手段】
【０００６】
以下は、そのような態様の基本的な理解を提供するために、１つまたは複数の態様の簡略化された要約を提示する。この要約は、考えられるすべての態様の広範な概要ではなく、すべての態様の鍵となる要素または重要な要素を特定したり、一部またはすべての態様の範囲を説明したりすることを目的としていない。その唯一の目的は、後で提示されるより詳細な説明の前置きとして、１つまたは複数の態様のいくつかの概念を簡略化された形式で提示することである。
【０００７】
複数のトラップされたイオン（例えば、原子量子ビットまたはキュービット）に基づく量子情報処理装置または量子情報処理（ＱＩＰ）システムは、オーバーヘッドが大幅に低くなるユニバーサル量子ゲートの完全なセットを実行する柔軟性を実現するために、各イオンの独立した制御を必要とする場合がある。トラップされた原子／イオンは、２つのラマンビーム（レーザーまたは光ビームなど）間のビートノートが内部キュービット状態をコヒーレントに駆動できるラマン遷移を使用して操作できる。プロセッサ内（例えば、量子操作の処理に使用されるイオントラップ内）でトラップされた各イオンを制御するために、このようなラマンビームのアレイが使用され、各ビームは単一のイオンをアドレス指定する。マルチチャネル音響光学変調器（ＡＯＭ）を使用すると、これらのラマンビームの位相、周波数、および／または振幅を制御して、各原子キュービットの独立したユニバーサル制御を実施できる。
【０００８】
本開示の一態様は、量子操作のためのイオン鎖内のイオンの量子状態を制御する方法である。この方法は、第１の方向から、イオン鎖内のイオンに、グローバル光ビームを提供することと、第１の方向とは異なる第２の方向から、イオン鎖内のイオンのサブセット内の各イオンに、それぞれのアドレス指定光ビームを提供することと、イオン鎖内のイオンのサブセットとともに、量子操作の量子ゲートのシーケンスにおける１つまたは複数の量子ゲートを実施する（ｉｍｐｌｅｍｅｎｔ）ために、マルチチャネル音響光学変調器（ＡＯＭ）のそれぞれのチャネルを使用することにより提供されるアドレス指定光ビームの各々を動的に制御することと、を含む。
【０００９】
本開示の別の態様は、量子操作のためのイオン鎖内のイオンの量子状態を制御する量子情報処理（ＱＩＰ）システムである。ＱＩＰは、イオン鎖を実施する（ｉｍｐｌｅｍｅｎｔ）ように構成されたトラップと、第１の方向から、イオン鎖内のイオンにグローバル光ビームを提供するように構成された第１の光源と、第１の方向と反対の第２の方向から、イオン鎖内のイオンのサブセット内の各イオンに、それぞれのアドレス指定光ビームを提供するように構成された第２の光源のセットと、マルチチャネル音響光学変調器（ＡＯＭ）と、イオン鎖とともに、量子操作の量子ゲートのシーケンスにおける１つまたは複数の量子ゲートを実施する（ｉｍｐｌｅｍｅｎｔ）ために、マルチチャネルＡＯＭ内のそれぞれのチャネルを使用することにより、提供されるアドレス指定光ビームの各々を制御するために、第２の光源のセットを動的に制御するように構成された光学コントローラと、を備える。
【００１０】
本開示のさらに別の態様では、プロセッサによって実行可能な命令を有するコードを格納するコンピュータ可読記憶媒体が、量子操作のためのイオン鎖内のイオンの量子状態を制御するために説明される。
【００１１】
前述の目的および関連する目的を達成するために、特に特許請求の範囲で指摘される特徴を含む１つまたは複数の態様が以下で完全に説明される。以下の説明および添付図面は、１つまたは複数の態様の特定の例示的な特徴を詳細に示している。しかしながら、これらの特徴は、さまざまな態様の原理が採用され得るさまざまな方法のほんの一部を示しており、この説明は、そのようなすべての態様およびそれらの同等物を含むことを意図している。
【００１２】
以下、開示された態様は、開示された態様を説明するために提供され、限定するものではない、添付の図面と併せて説明され、同様の名称は同様の要素を示す。
【図面の簡単な説明】
【００１３】
【図１Ａ】図１Ａは、本開示の態様による、線形結晶である原子イオンを捕捉するための電極を収容する真空チャンバの図を示す。
【図１Ｂ】図１Ｂは、本開示の態様による、状態初期化のためのレーザー放射の適用を示す低減エネルギー準位図の例を示す図である。
【図１Ｃ】図１Ｃは、本開示の態様による、蛍光によるキュービット状態検出のためのレーザー放射の適用を示す、低減されたエネルギー準位図の例を示す図である。
【図２Ａ】図２Ａは、本開示の態様による、ラマンビーム形状（ｇｅｏｍｅｔｒｙ）の例を示す図である。
【図２Ｂ】図２Ｂは、本開示の態様による、キュービット状態を結合するコヒーレントに刺激されたラマン遷移を示すエネルギー準位図を示す図である。
【図３】図３は、本開示の態様による、マルチキュービット制御のためのマルチチャネル音響光学変調器（ＡＯＭ）の例を示す図である。
【図４】図４は、本開示の態様による、マルチトーンラマンビーム位置合わせシステムの例を示す図である。
【図５】図５は、本開示の態様による、３キュービットを有するゲートシーケンスの例を示す図である。
【図６】図６は、本開示の態様による、コンピュータデバイスの例を示す図である。
【図７Ａ】図７Ａは、本開示の態様による、量子情報処理（ＱＩＰ）システムの例を示すブロック図である。
【図７Ｂ】図７Ｂは、本開示の態様による、光学コントローラの例を示すブロック図である。
【図８】図８は、本開示の態様による、方法の例を示すフロー図である。
【発明を実施するための形態】
【００１４】
添付図面に関連して以下に記載される詳細な説明は、さまざまな構成の説明として意図されており、本明細書に記載の概念が実施され得る唯一の構成を表すことを意図するものではない。詳細な説明には、さまざまな概念を完全に理解するための具体的な詳細が含まれている。しかしながら、これらの概念がこれらの特定の詳細なしで実践され得ることは当業者には明らかであろう。場合によっては、そのような概念を曖昧にしないために、よく知られているコンポーネントがブロック図の形式で示される。
【００１５】
上記のように、トラップされた原子は、量子情報処理の方法およびシステムを実施するために使用することができる。原子ベースのキュービットは、量子コンピュータおよびシミュレータの量子メモリ、量子ゲート、さらに量子通信ネットワークのノードなど、さまざまなタイプのデバイスとして使用できる。トラップされた原子イオンに基づくキュービットは、非常に優れたコヒーレンス特性を持ち、ほぼ１００％の効率で準備および測定でき、光またはマイクロ波フィールドなどの適切な外部制御フィールドとのクーロン相互作用を変調することにより、互いに容易に絡み合うことができる。本開示で使用される場合、「原子イオン」、「原子」および「イオン」という用語は、結晶または同様の配置または構成を形成するためにトラップに閉じ込められる（ｃｏｎｆｉｎｅ）、または実際に閉じ込められる粒子を説明するために交換可能に使用され得る。本開示は、トラップされた原子イオンの結晶内のキュービット操作を制御するために、レーザービームを使用するための方法またはプロセスおよび機器または装置の形での技術を説明する。具体的には、本開示は、１つまたは複数のキュービットの状態を制御するために、伝搬するレーザービーム、１つのグローバルビームおよび１つまたは複数の個別のビームを使用することを説明する。
【００１６】
量子情報および計測の目的で使用される典型的なイオントラップの形状または構造は、線形無線周波数（ＲＦ）ポールトラップ（ＲＦトラップまたは単にポールトラップとも呼ばれる）であり、イオンの効果的な不均一な高調波閉じ込めのために、近くの電極が静的および動的電位を保持する。ＲＦポールトラップは、電界を使用して荷電粒子を特定の領域、位置、または場所にトラップまたは閉じ込めるタイプのトラップである。原子イオンがそのようなトラップ内で非常に低い温度にレーザー冷却されると、原子イオンはキュービットの静止結晶（例えば、キュービットの構造化された配置）を形成し、クーロン反発力が外部閉じ込め力のバランスをとる。十分なトラップ異方性のために、イオンは閉じ込めの弱い方向に沿って線形結晶を形成することができ、これは量子情報および計測学のアプリケーションに通常使用される配置である。
【００１７】
イオンを使用して実施される特定の量子ゲートによって要求されるように、位相、周波数、および／または振幅、および／または分極も制御するために、各イオンの個別のアドレス指定が必要となる場合がある。単一のグローバル光ビームをイオン鎖（例えば、イオントラップ内のイオン鎖）内のすべてのイオンに適用または提供して、イオンを制御すると同時に、量子ゲートが実行または実施されるイオンに個々の光ビームを適用または提供することができる。これらの逆伝搬光ビームは、ラマン光ビームまたは単にラマンビームと呼ばれ、通常、非常に高い中心周波数（例えば、８５０ＴＨｚ）のレーザービームである。ただし、これらの光ビームには、キュービット周波数として使用されるビートノート（例えば、１２．６ＧＨｚ）を生成する明確な周波数差がある。無線周波数（ＲＦ）信号は、光ビームによって生成されるビートノートの周波数または位相を制御するために使用され、ビートノートは、次いで、イオン鎖内のキュービット（例えば、原子キュービットまたはイオンキュービット）を駆動するために使用される。このタイプの制御は、ビートノートの周波数または位相を調整する手段として単一のグローバル光ビームを使用することによって過去に実施されてきたが、このアプローチにはいくつかの制限がある。
【００１８】
例えば、イオン鎖内のイオンの数が少ない量子ゲートを実施する場合、グローバル光ビームは残りのイオン（量子ゲートに使用されていないイオン）を照射し、グローバル光ビームによって照射されるがグローバル光ビームが望ましくない残留量子操作を生成する可能性があるために使用されないイオンにエラー（例えば、系統的エラー）を引き起こす。そのような残留操作の例は、キュービットの位相を変更またはシフトする傾向があるエネルギーシフトまたは光シフト（例えば、ＡＣシュタルクシフト）である。したがって、複数の量子ゲートが順番に実施される量子アルゴリズムまたは量子操作（例えば、単一キュービットゲートと２キュービットゲートとの組み合わせのスタック）を実行すると、量子アルゴリズムまたは量子操作中に、個々のイオンに収集されたエラーが蓄積される可能性がある。
【００１９】
ただし、これらの体系的なエラーの多くは、追跡または監視できる。例えば、各イオンの２つのキュービットレベルは、エネルギー分離が明確に定義されている内部原子状態である。したがって、各イオンは既知の周波数で発生する。イオンが異なるエネルギーを有する場合（例えば、光のシフトによって引き起こされる場合）、イオンは異なる周波数で発生する。各イオンが発生する周波数を知ることにより、イオン内で常に進行している自由回転があり、したがって周波数と位相とが関連しているので、それぞれの位相を監視または追跡することができる。したがって、システム（例えば、システム内の実験用クロック）がイオン（例えば、原子キュービット）のクロックまたはデューティサイクルを追跡するように構成されている限り、時間の経過とともに変化するそのイオンの位相を監視または追跡することさえ可能である。
【００２０】
上記の残留操作によって引き起こされるエラー（例えば、位相シフトまたは位相エラー）は、イオン鎖内のさまざまなイオン間で変化する可能性がある。したがって、これらのエラーは、イオンごとに個別に修正する必要がある。以前のシステムのように、イオンの制御がこの目的のために単一のグローバル光ビームの使用に制限されている場合、イオンを個別に補正するメカニズムがないので、これらのエラーを個別に補正することはできない。さらに、これらの周波数（および位相）のシフトは、時間の経過とともに蓄積する傾向があり、系統的なエラーがわかっていても、修正が困難な場合がある。したがって、これらのエラーは、個々のイオンごとに修正する必要があるだけでなく、量子操作または量子アルゴリズムの進行に合わせて動的に修正する必要もある。
【００２１】
上記の問題を考慮すると、複数のトラップされたイオンに基づく量子情報処理（ＱＩＰ）システムでは、低いオーバーヘッドでロジックを実行する際の柔軟性を実現するために、トラップされた各イオンの状態を独立して制御する必要がある。トラップされたイオンの状態は、２つのラマン光ビーム間のビートノートを使用して内部キュービット状態をコヒーレントに駆動できるラマン遷移を使用して制御できる。ＱＩＰシステムで個々のトラップされたイオンを制御するために、ラマン光ビームのアレイは、単一のトラップされたイオンごとに個々のアドレス指定光ビームを提供する。マルチチャネル音響光学変調器（ＡＯＭ）を使用することにより、個々のアドレス指定光ビームの各々を制御して、トラップされたイオンによって収集された任意の系統的エラーを個別に補正することができる。マルチチャネルＡＯＭは、個々のトラップされたイオン制御のために本明細書で言及されるが、開示はそのように限定される必要はなく、マルチチャネルＡＯＭは、複数のシングルチャネルＡＯＭまたは複数のより小さなマルチチャネルＡＯＭを使用して実施され得ることが理解されるべきである。
【００２２】
本開示のいくつかの態様では、マルチチャネルＡＯＭは、各ＡＷＧ／ＤＤＳがそれぞれのアドレス指定光ビーム用のＡＯＭのチャネルを独立して制御する、いくつかの任意波形発生器（ＡＷＧ）またはダイレクトデジタルシンセサイザ（ＤＤＳ）を含み得る。結果として、対応するチャネル内の各ラマン光ビームは、異なる位相、振幅、および／または周波数を含み得る。いくつかの例では、ラマン光ビームの偏光も変調または制御され得る。個別に制御されたアドレス指定ラマン光ビームは、逆伝搬するグローバルラマン光ビームとともに、個別に制御されたラマン光ビームとグローバルラマン光ビームとの間のラマンビートノートに依存して、トラップされたイオンの状態を調整することができる。ラマン光ビーム（シングルトーンまたはマルチトーン）の同時制御により、トラップされたイオンの状態をマルチチャネルＡＯＭによって独立して同時に制御できる。いくつかの実施形態では、アドレス指定光ビームの同時制御は、トラップされたイオンの状態を変更する際の遅延を低減し、グローバル光ビームの照射によって引き起こされる任意のエネルギーシフトを補償し得る。
【００２３】
他の実施形態では、マルチチャネルＡＯＭに関連する光学設定は、ＡＯＭを出る異なる偏向／回折角にもかかわらず、個別に制御されたラマン光ビームをトラップされたイオンに向けて導くことができる。
【００２４】
特定の例では、マルチチャネルＡＯＭの個別に制御されたラマン光ビームは、トラップされたイオンの位相を進めて、量子ゲート操作中のエネルギーシフトによって引き起こされるエラーを修正または軽減することができる。
【００２５】
上記の問題の解決に関連するさまざまな態様は、図１Ａ〜図８に関連して以下でより詳細に説明される。
【００２６】
図１Ａは、線形ＲＦポールトラップを使用して線形結晶１１０（線形結晶１００は、真空チャンバ内にあることができるが示されていない）にトラップされた複数の原子イオン（ａｔｏｍｉｃ  ｉｏｎ）１０６を有する真空チャンバを示す図１００を示す。図１Ａに示す例では、量子システムの真空チャンバは、複数の（例えば、Ｎ＞１、ここで、Ｎは１００以上の数であり、いくつかの実施ではＮ＝３２を有する）原子イッテルビウムイオン（例えば、１７１Ｙｂ＋イオン）をトラップするための電極を含み、それは、線形結晶１１０に閉じ込められ、レーザー冷却されてほぼ静止している。トラップされる原子イオンの数は構成可能であり、トラップされる原子イオンの数は増減する可能性がある。原子は、１７１Ｙｂ＋の共鳴調整されたレーザー（光学）放射で照射され、原子イオンの蛍光がカメラに画像化される。この例では、原子イオンは、蛍光によって示されるように、互いに約５ミクロン（μｍ）離れている。原子イオンの分離は、外部閉じ込め力とクーロン反発とのバランスによって決まる。
【００２７】
個々のトラップされた原子イオンの強い蛍光は、光子の効率的な循環に依存しているため、イオンの原子構造は、運動のレーザー冷却、キュービット状態の初期化、および効率的なキュービット読み出しを可能にする強力な閉じた光学遷移を有している必要がある。これにより、アルカリ土類（Ｂｅ＋、Ｍｇ＋、Ｃａ＋、Ｓｒ＋、Ｂａ＋）や特定の遷移金属（Ｚｎ＋、Ｈｇ＋、Ｃｄ＋、Ｙｂ＋）など、外部電子が１つしかない単純な原子イオン以外の多くの原子イオン種が除外される可能性がある。これらの原子イオン内では、キュービットは２つの安定した電子レベルで表すことができ、多くの場合、２つの状態
【数１】
2021531578.tif 000003
と
【数２】
2021531578.tif 000004
、または同等に
【数３】
2021531578.tif 000005
および
【数４】
2021531578.tif 000006
、を有する有効なスピンによって特徴付けられる。図１Ｂおよび図１Ｃは、原子イオン１７１Ｙｂ＋について、それぞれ、還元エネルギー準位図１２０および１５０を示し、ここで、キュービットレベル
【数５】
2021531578.tif 000007
および
【数６】
2021531578.tif 000008
１３０は、基底電子状態における安定した超微細レベルによって表され、周波数
【数７】
2021531578.tif 000009
によって分離される。１７１Ｙｂ＋の励起された電子状態
【数８】
2021531578.tif 000010
および
【数９】
2021531578.tif 000011
１４０は、それ自体がより小さな超微細結合によって分割され、３６９．５３ｎｍの光波長に相当するエネルギーを有する光学間隔によって基底状態から分離される。
【００２８】
これらの光学遷移の共鳴のすぐ下で調整されたレーザー放射により、ドップラーレーザー冷却は、トラップの底部近くに原子イオンを閉じ込めることができる。他のより洗練された形式のレーザー冷却は、原子イオンをトラップ内でほぼ静止させることができる。
【００２９】
二色性レーザーまたは光ビーム（例えば、光変調から生じる側波帯によって生成された２つのトーンを有するビーム）が
【数１０】
2021531578.tif 000012
および
【数１１】
2021531578.tif 000013
の両方と共鳴する場合、遷移が原子に適用され、原子は急速に状態
【数１２】
2021531578.tif 000014
になり、光フィールドと相互作用しなくなり、本質的に１００％の忠実度でキュービットの初期化が可能になる（例えば、図１Ｂ参照）。
【００３０】
【数１３】
2021531578.tif 000015
と共鳴する単一のレーザーまたは光ビームの場合、遷移が適用されると、閉サイクル光学遷移により、
【数１４】
2021531578.tif 000016
状態のイオンが強く蛍光を発し、
【数１５】
2021531578.tif 000017
状態のイオンは、レーザー周波数がその共鳴から遠く離れているため、暗いままになる（例えば、図１Ｃ参照）。この蛍光のごく一部を収集することで、ほぼ完全な効率または精度で原子キュービット状態を検出できる。他の原子種も同様の初期化／検出スキームを有している可能性がある。
【００３１】
図１Ｂおよび図１Ｃにおいて、励起された電子状態
【数１６】
2021531578.tif 000018
および
【数１７】
2021531578.tif 000019
１４０からのすべての可能な遷移は、下向きの波状の矢印として示されている。他方、適用されたレーザー放射（上向きの直線の矢印として示されている）は、図１Ｂに示されているように状態
【数１８】
2021531578.tif 000020
への初期化のために、そして図１Ｃに示されるようにキュービット状態
【数１９】
2021531578.tif 000021
の蛍光検出のために、これらの遷移を駆動する。
【００３２】
キュービットレベル間のコヒーレント遷移の場合、単一キュービット回転操作および絡み合うマルチキュービット操作があり得る。単一キュービット回転操作は、単一キュービット操作または単にキュービットフリッピングと呼ばれることもある。
【００３３】
単一キュービット回転操作に関して、図１Ｂおよび図１Ｃのキュービットレベル
【数２０】
2021531578.tif 000022
および
【数２１】
2021531578.tif 000023
１３０は、外部制御フィールドと直接結合できるため、単一キュービットの回転操作が可能になる。
【数２２】
2021531578.tif 000024
で表される進行波（共振）フィールドの場合、
【数２３】
2021531578.tif 000025
は波数ベクトル、
【数２４】
2021531578.tif 000026
はフィールド周波数、
【数２５】
2021531578.tif 000027
は位相であり、共振時
【数２６】
2021531578.tif 000028
の結果は、以下の式（１）および（２）に示すように、位相
【数２７】
2021531578.tif 000029
でのキュービットの回転操作である（回転波近似を想定し、操作中は位相
【数２８】
2021531578.tif 000030
が一定であると仮定する）。
【数２９】
2021531578.tif 000031
ここで、
【数３０】
2021531578.tif 000032
および
【数３１】
2021531578.tif 000033
。ここで、
【数３２】
2021531578.tif 000034
は、モーメント
【数３３】
2021531578.tif 000035
の有効な双極子遷移を想定してフィールド−キュービット結合をパラメータ化するラビ周波数である。中間仮想レベルを介して結合する２フィールド光ラマンフィールドＡおよびＢの場合、有効ラビ周波数は
【数３４】
2021531578.tif 000036
に比例し、フィールドの有効周波数は差
【数３５】
2021531578.tif 000037
になり、波数ベクトル
【数３６】
2021531578.tif 000038
は、２つのフィールド間の波数ベクトル差
【数３７】
2021531578.tif 000039
で与えられ、位相は位相差
【数３８】
2021531578.tif 000040
になる。実際には、２つのラマンフィールドは、キュービット周波数分割
【数３９】
2021531578.tif 000041
を橋渡しする必要がある。これは、ディスクリート変調要素またはモードロック周波数コムレーザーを使用して実現できる。光周波数コムは、一連の離散した等間隔の周波数線を持つスペクトルを有するレーザーソースである。コーミング効果は、連続波レーザーの周期的変調（例えば、振幅および／または位相）、非線形媒体での４波混合、またはモードロックレーザー（例えば、上記のモードロック周波数コムレーザー）によって生成されるパルス列の安定化を含む、いくつかのメカニズムによって生成できる。
【００３４】
時間Ｔだけ離れたキュービット上の２つの連続する回転の場合、累積されたキュービット位相は
【数４０】
2021531578.tif 000042
である。制御フィールドが光ドメイン内の単一フィールド結合である場合、これには、拡張操作（例えば、より長いまたはより複雑な操作）にわたる光周波数および位相の制御が必要になる場合がある。ただし、キュービット間の２フィールド光ラマン結合の場合、累積キュービット位相は
【数４１】
2021531578.tif 000043
であり、周波数差
【数４２】
2021531578.tif 000044
と位相差
【数４３】
2021531578.tif 000045
を制御する必要がある。
【００３５】
マルチキュービット操作の絡み合いに関しては、多くのトラップされたイオンの運動は、ばねで接続された振り子の配列のように、クーロン相互作用を介して結合される。結晶内の原子イオン間に絡み合う量子論理ゲートを実施する自然な方法は、図２Ａに示すように、運動を中間体として使用することである。図２Ａは、ラマンビーム形状の例を示し、光ビームの適用がキュービット内で運動を生成する図２００を示している。図２００には、原子イオンキュービットを有する線形結晶１１０に向けられた個々のビーム２１０およびグローバルビーム２２０が存在する。同じ方向の光ビームは、共伝搬光ビームと呼ばれ得、異なる方向または反対方向の光ビームは、それぞれ、非共伝搬または逆伝搬光ビームと呼ばれ得る。個々のビーム２１０（共伝搬）は、集束または個別にアドレス指定されたビームであり、グローバルビーム２２０（図示されるように、個々のビーム２１０に対して逆伝搬する）は、集束されていないグローバルビームであり得る。本明細書で使用される場合、「レーザービーム」、「光ビーム」、「ビーム」、「レーザー」、「光フィールド」、および「フィールド」という用語は、交換可能に使用され得る。
【００３６】
運動を仲介として使用すると、キュービットの状態に依存する光学的またはマイクロ波双極子力を原子イオンに適用することにより、量子論理ゲートを実現できる。この外部から適用されるキュービット状態に依存する力を使用して、制御されたＮＯＴゲートおよびその他の関連するマルチキュービット絡み合い操作を作成するための多くのプロトコルがある。例として、２つのトラップされたイオンキュービット間の一般的なＭｏｌｍｅｒ−Ｓｏｒｅｎｓｏｎゲート操作（ＭＳ、Ｉｓｉｎｇ、またはＸＸゲート操作とも呼ばれる）。ただし、位相依存性は多くの同様のクラスのゲートで類似している。
【００３７】
まだ図２Ａを参照すると、図２００は、図示されている選択されたイオン間の２キュービットゲートの例のラマンビーム形状を示している。反対方向に伝搬する逆伝搬ビーム（ビームのペア）２１０およびビーム２２０は、２つのトラップされたイオン上で重なり、集団運動モードに結合するラマン遷移は、絡み合い操作を可能にする。単一キュービット回転の場合、個々のイオンがアドレス指定され、逆伝播ジオメトリには必要ない場合がある。単一キュービットゲートの場合、操作にはスピンフリップが含まれ、これは、キャリア遷移または共鳴キュービット遷移とも呼ばれる。２キュービットゲートの場合、操作は運動側波帯を駆動する傾向があり、これらの周波数は単一キュービット遷移で使用される周波数からビットオフセットされる。
【００３８】
周波数
【数４４】
2021531578.tif 000046
からの収集イオン運動の単一モードによる結合が考慮される。一般に、Ｍｏｌｍｅｒ−Ｓｏｒｅｎｓｏｎゲートの操作には、上下の側波帯遷移を一緒に駆動する波数ベクトル
【数４５】
2021531578.tif 000047
および
【数４６】
2021531578.tif 000048
を使用して、レーザービーム（ＡとＢ）の２つの非共伝搬または逆伝搬方向が必要である。方向Ａに沿ったビームは、光学位相
【数４７】
2021531578.tif 000049
の単一周波数成分
【数４８】
2021531578.tif 000050
を有し、方向Ｂに沿ったビームは、光学位相
【数４９】
2021531578.tif 000051
の２つの周波数
【数５０】
2021531578.tif 000052
を有し、ＡとＢとの間の結果の２つのビートノートは上側（＋）と下側（−）の側波帯遷移の近くにある。以下の式（３）および（４）に示すように、ビームＡの周波数に関してビームＢでこれらの二色ビートノートを作成するための２つのスペクトル構成がある。
【数５１】
2021531578.tif 000053
【００３９】
つまり、ビームＢの二色ビートノートの１つの可能な構成は位相に敏感であり（式（３））、もう１つの可能な構成は位相に敏感でない（式（４））。
【００４０】
記述されているように、式（３）および（４）は、
【数５２】
2021531578.tif 000054
、
【数５３】
2021531578.tif 000055
であると想定していて、式（３）および（４）の右辺にマイナス記号を追加する必要がある。
【００４１】
重要な態様は、位相に影響されない構成は、反対の符号
【数５４】
2021531578.tif 000056
の上側波帯と下側波帯のビートノートを有するため、両方のビートノートが関与する相互作用から蓄積された光位相がキャンセルされることである。ＸＸゲートの下での２キュービットの進化は、以下の式（５）に示されている。
【数５５】
2021531578.tif 000057
ここで、ＸＸゲートの実効位相は、位相に敏感な場合は
【数５６】
2021531578.tif 000058
、位相に敏感でない場合は
【数５７】
2021531578.tif 000059
である。
【００４２】
位相に敏感な場合、ゲートによって蓄積される実際の位相はビームの光学位相に依存し、ビーム経路の機械的および熱的変動により、２つのラマンビーム間の有効光路長差が変化するため、時間とともにゆっくりとドリフトする可能性がある。この場合でも、ラマンビームの位相、周波数、および／または振幅を完全に制御することにより（例えば、マルチチャネルＡＯＭを使用することにより）、光路長が複合操作の期間内に安定している限り、複合操作がゲートの特性を決定する明確に定義された位相シフトを有する２キュービットゲートとして機能するように、２キュービットゲートの前後に適切な単一キュービット回転を追加することができる。これは、本開示で説明される技術およびシステムで実施することができる別の位相補正アプローチである。
【００４３】
上記の説明を考慮して、そしてキュービット位相の同期、安定性、および制御が拡張量子操作の性能にとって重要であるので、本開示は、トラップされたイオンキュービットの制御（例えば、位相、振幅、周波数、偏光、など）に使用できるさまざまな技術を提供する。したがって、光位相のドリフトがデコヒーレンスにつながる可能性がある、拡張量子操作のためのキュービット操作の位相制御を可能にするような方法で、光フィールド（例えば、レーザービーム）を操作するためのさまざまな技術を以下に説明する。キュービットの遷移を駆動するために必要なラマンビームの偏光は、キュービットレベルの原子構造と励起状態へのそれらの結合とに依存する。一例として、本開示は、図２Ｂのエネルギー準位図２３０に示される１７１Ｙｂ＋システムを考慮し、そこでは、コヒーレントに刺激されたラマン遷移が、
【数５８】
2021531578.tif 000060
および
【数５９】
2021531578.tif 000061
でラベル付けされ、周波数
【数６０】
2021531578.tif 000062
で区切られ、２つのラマンビームに対して
【数６１】
2021531578.tif 000063
または
【数６２】
2021531578.tif 000064
のいずれかの偏光で３５５ｎｍのレーザーフィールドによって駆動される（例えば、任意のラマンプロセスは両方のビーム偏光
【数６３】
2021531578.tif 000065
または
【数６４】
2021531578.tif 000066
で駆動される）、２つのキュービット状態を結合する。しかしながら、おそらく異なるレベルおよび遷移選択規則を有する、１７１Ｙｂ＋システム以外のシステムもまた、本明細書に記載の特徴に関連して使用され得ることが理解されるべきである。
【００４４】
上記のように、例えば、それらの形状、偏光、および／または周波数の制御を含む、光フィールドまたはビーム（例えば、レーザーまたは他の光源によって生成される）が配向される方法を制御することが重要である。
【００４５】
ここで図３を参照すると、音響光学変調器（ＡＯＭ）３１０を使用するマルチキュービット制御をサポートするシステム３００の例が示されている。システム３００は、図６、図７Ａおよび図７Ｂに関連して以下でより詳細に説明されるコンピュータデバイス６００および／またはＱＩＰシステム７００の一部であり得る。システム３００は、十字パターンを有する円で表されるトラップされたイオン３０６ａ〜３０６ｄ（図１Ａのトラップされたイオン１０６ａ〜１０６ｄに対応する）を有する線形結晶１１０を含む。トラップされたイオン３０６ａ〜３０６ｄは、第１の方向からのグローバル光ビーム２２０によって、および第１の方向とは異なる第２の方向からの個々のアドレス指定光ビーム２１０ａ〜２１０ｄによって照射され得る。一実施形態では、グローバル光ビーム２２０の第２の方向は、個々のアドレス指定光ビーム２１０ａ〜２１０ｄの第１の方向と実質的に反対または直に反対であり得る（例えば、図２Ａ参照）。別の実施形態では、グローバル光ビーム２２０の第２の方向は、図３に破線で示されるグローバル光ビーム２２０の代替方向によって示されるように、個々のアドレス指定光ビーム２１０ａ〜２１０ｄの第１の方向から実質的にまたは正確に９０度（または２７０度）オフセットされ得る。換言すれば、グローバル光ビーム２２０および個々のアドレス指定光ビーム２１０ａ〜２１０ｄは、同じ平面内にあり、かつ異なる方向からトラップされたイオン１０６ａ〜１０６ｄに向けられているか、または垂直面にあり、かつトラップされたイオン１０６ａ〜１０６ｄに向けられている。トラップされたイオンのいくつかについてはビームの方向が実質的に反対または反対であり、他のトラップされたイオンについてはビームの方向が実質的にまたは正確に９０度（または２７０度）互いにオフセットしている場合、方向の組み合わせも可能であることが理解されるべきである。本明細書で実質的に使用される用語は、変動が公称値の０．５％、１％、２％、３％、４％、５％、または１０％以内である、公称値または特性からの変動を指す場合がある。
【００４６】
４つのトラップされたイオン３０６ａ〜３０６ｄが、図３に例示として示されているが、線形結晶１００は、１、２、５、６、１０、１６、２０、３２、５０、６４、１２８またはそれ以上のトラップされたイオンを有し得、さまざまな量子ゲートを実施するときにこれらのトラップされたイオンの任意のサブセットを使用することが可能であり得る。ＡＯＭ３１０は、ＡＯＭ３１０に局所的に音波を適用する圧電変換器３１２ａ〜３１２ｄ（例えば、並列配置）を有するマルチチャネルブラッグセルであり得る。ＡＯＭ３１０は、トラップされたイオン１０６の各々に対して異なるチャネルを含み得る。圧電変換器３１２ａ〜３１２ｄは、波形発生器３２２ａ〜３２２ｄを有するコントローラ３２０（図７Ａおよび図７Ｂに関連して以下に説明する光学コントローラ７２０の一部であり得る）によって制御され得る。波形発生器３２２ａ〜３２２ｄは、任意波形発生器（ＡＷＧ）および／または直接デジタルシンセサイザ、または他のタイプの信号生成装置であり得る。操作中、いくつかの実施形態では、グローバル光ビーム２２０は、第１の方向からトラップされたイオン３０６ａ〜３０６ｄを照射し得る。グローバル光ビーム２２０は、１つまたは複数のラマンレーザーからのラマン光ビームであり得る。光学機器（例えば、レンズ、ミラーなど、図示せず）を使用して、グローバル光ビーム２２０を、トラップされたイオン３０６ａ〜３０６ｄ上に集束させることができる（例えば、図４参照）。グローバル光ビーム２２０は、単一の周波数、位相、および振幅を有し得る。個々のアドレス指定光ビーム２１０ａ〜２１０ｄは、第２の方向からトラップされたイオン３０６ａ〜３０６ｄのいくつかを別々に照射するために提供され得る。照射されるトラップされたイオン３０６は、量子操作またはアルゴリズムの一部であるシーケンスの現在の段階に実施されている量子ゲートに依存する。例えば、個々のアドレス指定光ビーム２１０ａは、トラップされたイオン３０６ａを照射し得る。個々のアドレス指定光ビーム２１０ｂは、トラップされたイオン３０６ｂを照射し得る。個々のアドレス指定光ビーム２１０ｃは、トラップされたイオン３０６ｃを照射し得る。個々のアドレス指定光ビーム２１０ｄは、トラップされたイオン３０６ｄを照射し得る。いくつかの例では、いくつかのトラップされたイオン（図示せず）は、個々のアドレス指定光ビームによって照射されない。他の実施形態では、グローバル光ビーム２２０の照射によって引き起こされるエネルギーシフト（以下で説明する）を補正するために、トラップされたすべてのイオン３０６ａ〜３０６ｄを照射することが有利であり得る。
【００４７】
まだ図３を参照すると、特定の実施形態では、個々のアドレス指定光ビーム２１０ａ〜２１０ｄのそれぞれの周波数、振幅、および／または位相は、ＡＯＭ３１０によって変調され得る。例えば、波形発生器３２２ａは、変換器３１２ａに、第１の所定の品質を有する第１の音波を生成させることができる。変換器３１２ａによって生成された第１の音波は、個々のアドレス指定光ビーム２１０ａに、第１の周波数、第１の位相、および／または第１の振幅を持たせることができる。第１の周波数とグローバル光ビーム２２０の周波数との間の差は、トラップされたイオン３０６ａの状態を制御するために使用される第１のビートノートを作成し得る。第１の周波数、第１の位相、および／または第１の振幅は、このアプローチを使用して、時間とともに動的に変化し得る。波形発生器３２２ｂは、変換器３１２ｂに、第２の所定の品質を有する第２の音波を生成させ得る。変換器３１２ｂによって生成された第２の音波は、個々のアドレス指定光ビーム２１０ｂに第２の周波数、第２の位相、および／または第２の振幅を持たせることができる。第２の周波数とグローバル光ビーム２２０の周波数との間の差は、トラップされたイオン３０６ｂの状態を制御するために使用される第２のビートノートを作成し得る。第２の周波数、第２の位相、および／または第２の振幅は、このアプローチを使用して、時間とともに動的に変化し得る。
【００４８】
まだ図３を参照すると、いくつかの例では、波形発生器３２２ｃは、変換器３１２ｃに、第３の所定の品質を有する第３の音波を生成させることができる。変換器３１２ｃによって生成された第３の音波は、個々のアドレス指定光ビーム２１０ｃに第３の周波数、第３の位相、および／または第３の振幅を持たせることができる。第３の周波数とグローバル光ビーム２２０の周波数との間の差は、トラップされたイオン３０６ｃの状態を制御するために使用される第３のビートノートを作成し得る。第３の周波数、第３の位相、および／または第３の振幅は、このアプローチを使用して、時間とともに動的に変化し得る。波形発生器３２２ｄは、変換器３１２ｄに、第４の所定の品質を有する第４の音波を生成させることができる。変換器３１２ｄによって生成された第４の音波は、個々のアドレス指定光ビーム２１０ｄに第４の周波数、第４の位相、および／または第４の振幅を持たせることができる。第４の周波数とグローバル光ビーム２２０の周波数との間の差は、トラップされたイオン３０６ｄの状態を制御するために使用される第４のビートノートを作成し得る。第４の周波数、第４の位相、および／または第４の振幅は、このアプローチを使用して、時間とともに動的に変化し得る。個々のアドレス指定光ビーム２１０ａ〜２１０ｄは、コントローラ３２０（波形発生器３２２ａ〜３２２ｄを介して）およびＡＯＭ３１０（変換器３１２ａ〜３１２ｄを介して）によって個別に変調され得るので、個々のアドレス指定光ビーム２１０ａ〜２１０ｄおよびグローバル光ビーム２２０は、トラップされたイオン３０６ａ〜３０６ｄの状態を独立して制御するために、集合的に最大４つのビートノートを作成し得る。グローバル光ビーム２２０はまた、コントローラ３２０または別のコントローラによって制御され得ることが理解されるべきである。この例では４つのトラップされたイオン３０６が説明されているが、トラップされたイオンの数および／またはどのトラップされたイオンに変調された個別にアドレス指定する光ビーム２１０が提供されるかは、量子操作のシーケンスの一部として実施される量子ゲートのスタック（例えば、量子ゲートの複数のステージ）に基づいて時間とともに変化し得る。
【００４９】
ここで図４を参照すると、マルチトーンラマンビーム位置合わせシステム４００の例を使用して、回折ラマンビームをトラップされたイオンに集束させて、例えば、図３に関連して上記の例などの特定の量子ゲート操作の実施に使用することができる。例えば、位置合わせシステム４００（コンピュータデバイス６００および／またはＱＩＰシステム７００の一部であり得る）は、マルチチャネルＡＯＭ４０２（これは、図３のマルチチャネルＡＯＭ３１０の例であり得る）を含み得、その中の単一のチャネルが、簡単にするために示されている（他のチャネルは、図４の平面の内外に配置され得る）。位置合わせシステム４００は、図示されているチャネルに関連して、波形発生器４０４、変換器４０６、およびレンズアセンブリ４０８を含み得る。同様の構造が、マルチチャネルＡＯＭ４０２の他のチャネルに使用され得る。
【００５０】
操作中、いくつかの実施形態では、変換器４０６（波形発生器４０４の制御下）は、周波数ｆ１およびｆ１’を有する音波を生成し得る。その結果、入射ラマンビーム４１０（例えば、個々のアドレス指定光ビーム２１０の１つ）は、生成されることができてＡＯＭ４０２に提供されることができ、出力ビーム４１２（偏向されていない）、出力ビーム４１４（周波数ｆ１）、および出力ビーム４１６（周波数ｆ１’）に回折することができ、出力ビーム４１４、４１６は異なる回折角を有する。出力ビーム４１４、４１６は、レンズアセンブリ４０８を通過することができ、それぞれ、反射ビーム４２０、４２２に向けて方向付けられ得る。反射ビーム４２０、４２２は、レンズアセンブリ４０８によって、トラップされたイオン４３０上に再集束され得る。レンズアセンブリ４０８は単一の光学要素として示されているが、開示はそのように限定される必要はなく、レンズアセンブリ４０８は、例えば、異なるタイプのレンズを含む複数の光学要素を含み得る。
【００５１】
ここで図５に示されるように、３キュービットシステムのゲートシーケンス５００の例は、トラップされたイオン５０２、５０４、５０６（図１Ａおよび図３の線形結晶１１０内のトラップされたイオンに対応し得る）に基づく単一キュービットゲート５１０（Ｑ１）、５１２（Ｑ２）、５１４（Ｑ３）、５２８（Ｑ５）、５３８（Ｑ７）、５４０（Ｑ８）、５４２（Ｑ９）および２キュービットゲート５２２（Ｑ４）、５３２（Ｑ６）を含む。いくつかの実施形態では、トラップされたイオン５０２、５０４、５０６に基づきキュービット上に量子ゲートを実行すると、キュービットエネルギー分割にシフトが生じる可能性がある。これは、エネルギーシフトおよびゲートの持続時間に基づいてキュービット位相の進行を引き起こし、量子操作またはアルゴリズムのエラーの原因になる。エネルギーシフトによって引き起こされるこのエラーを排除するために、トラップされた各イオン５０２、５０４、５０６のラマンビートノートは、例えば、個別にアドレス指定可能なビーム図３のマルチチャネルＡＯＭシステムを使用して段階的に進められ得る。そのような位相進行のタイミングは、位置５１６、５１８、５２０、５２４、５２６、５３０、５３４、および５３６で発生し得る。すなわち、量子ゲートのセット（Ｑ１、Ｑ２、Ｑ３）を含むシーケンスの第１ステージの後、位相進みｐ１１、ｐ２１、およびｐ３１が、それぞれ、ゲートの各々に対して実行され得る。同様に、２キュービットゲートＱ４を含む第２ステージの後、位相進みｐ１２およびｐ２２が、トラップされたイオン５０２および５０４に関連して実行され得る。単一キュービットゲートＱ５を含む第３ステージの後、位相進みｐ２３が、トラップされたイオン５０４に関連して実行され得る。２キュービットゲートＱ６を含むシーケンスの第４ステージの後、段階的前進ｐ２４およびｐ３２が、トラップされたイオン５０４および５０６に関連して実行され得る。シーケンスの第５ステージには、量子ゲートＱ７、Ｑ８、およびＱ９のセットが含まれ、後続の位相進みも実行できる（この例には示されていない）。この例は説明のために提供されており、考慮されるキュービットの数が３より多いか少ない場合、およびシーケンスのステージ数が５より少ないか多い場合、同様のアプローチを適用できる。
【００５２】
まだ図３を参照すると、キュービットエネルギーシフトは、グローバル光ビーム２２０によるトラップされたイオンの照射に起因し得る。グローバル光ビーム２２０からのエネルギーが、照射中にトラップされたイオン（例えば、トラップされたイオン５０２、５０４、および５０６）に伝達されるにつれて、トラップされたイオン上に意図しない残留操作があり得る。例えば、ＡＯＭ３１０を介してトラップされたイオン５０２、５０４、および５０６に提供される個々のアドレス指定光ビーム２１０のビーム特性を別々に制御することによって、ＡＯＭ３１０を使用して、グローバル光ビーム２２０によって引き起こされるエネルギーシフトを連続的に補償することができる。例えば、グローバル光ビーム２２０がトラップされたイオン５０２にエネルギーシフトを引き起こす場合、それぞれの個別のアドレス可能な光ビーム２１０を使用して、エネルギーシフトを修正または軽減し、したがって系統的エラーの可能性を低減することができる。これを行う１つの方法は、上記のように位相進みを実行することである。
【００５３】
ここで図６を参照すると、本開示の態様による例示的なコンピュータデバイス６００が示されている。コンピュータデバイス６００は、例えば、単一のコンピューティングデバイス、複数のコンピューティングデバイス、または分散コンピューティングシステムを表すことができる。コンピュータデバイス６００は、量子コンピュータ（例えば、量子情報処理（ＱＩＰ）システム）、古典的なコンピュータ、または量子と古典的なコンピューティング機能の組み合わせとして構成され得る。例えば、コンピュータデバイス６００は、トラップされたイオン技術に基づく量子アルゴリズムを使用して情報を処理するために使用され得、したがって、量子論理ゲートに適用されるようにマルチチャネルＡＯＭにおいて、およびこの開示に記載されているようにキュービット間の一般化された相互作用との接続において、ラマン光ビームの独立した制御のための方法を実施し得る。本明細書に記載のさまざまなビーム制御を実施することができるＱＩＰシステムとしてのコンピュータデバイス６００の一般的な例が、図７Ａおよび図７Ｂに示される例に示されている。
【００５４】
一例では、コンピュータデバイス６００は、本明細書で説明される１つまたは複数の特徴に関連する処理機能を実行するためのプロセッサ６１０を含み得る。プロセッサ６１０は、単一または複数のプロセッサのセットまたはマルチコアプロセッサを含み得る。さらに、プロセッサ６１０は、統合処理システムおよび／または分散処理システムとして実施され得る。プロセッサ６１０は、中央処理装置（ＣＰＵ）、量子処理装置（ＱＰＵ）、グラフィックス処理装置（ＧＰＵ）、またはこれらのタイプのプロセッサの組み合わせを含み得る。量子操作をサポートする場合、プロセッサ６１０は、量子操作を実施するために、少なくともトラップされたイオンを含み得る。一態様では、プロセッサ６１０は、コンピュータデバイス６００の一般的なプロセッサを指すことができ、これはまた、個々のアドレス指定光ビーム制御のための機能などのより特定の機能を実行するための追加のプロセッサ６１０を含み得る。
【００５５】
一例では、コンピュータデバイス６００は、本明細書に記載の機能を実行するためにプロセッサ６１０によって実行可能な命令を格納するためのメモリ６２０を含み得る。実施において、例えば、メモリ６２０は、本明細書に記載の機能または操作のうちの１つまたは複数を実行するためのコードまたは命令を格納するコンピュータ可読記憶媒体に対応し得る。一例では、メモリ６２０は、図８に関連して以下に説明される方法８００の態様を実行するための命令を含み得る。プロセッサ６１０と同様に、メモリ６２０は、コンピュータデバイス６００の一般的なメモリを参照することができ、これはまた、個々のビーム制御のための命令および／またはデータなどのより特定の機能のための命令および／またはデータを格納するための追加のメモリ６２０を含み得る。
【００５６】
さらに、コンピュータデバイス６００は、本明細書に記載されるように、ハードウェア、ソフトウェア、およびサービスを利用する１つまたは複数の当事者との通信を確立および維持することを提供する通信コンポーネント６３０を含み得る。通信コンポーネント６３０は、コンピュータデバイス６００上のコンポーネント間、ならびにコンピュータデバイス６００と、通信ネットワークを横切って配置されたデバイスおよび／またはコンピュータデバイス６００にシリアルにまたはローカルに接続されたデバイスなどの外部デバイスとの間の通信を実行することができる。例えば、通信コンポーネント６３０は、１つまたは複数のバスを含み得、さらに、外部デバイスとインターフェースするように動作可能な、送信機および受信機にそれぞれ関連する送信チェーンコンポーネントおよび受信チェーンコンポーネントを含み得る。
【００５７】
さらに、コンピュータデバイス６００は、本明細書に記載の実施に関連して使用される情報、データベース、およびプログラムの大容量記憶装置を提供する、ハードウェアおよび／またはソフトウェアの任意の適切な組み合わせであり得るデータストア６４０を含み得る。例えば、データストア６４０は、オペレーティングシステム６６０（例えば、古典的ＯＳ、または量子ＯＳ）のためのデータリポジトリであり得る。一実施形態では、データストア６４０は、メモリ６２０を含み得る。
【００５８】
コンピュータデバイス６００はまた、コンピュータデバイス６００のユーザからの入力を受信するように動作可能であり、さらに、ユーザに提示するための出力を生成するように、または異なるシステムに（直接的または間接的に）提供するように動作可能なユーザインターフェースコンポーネント６５０を含み得る。ユーザインターフェースコンポーネント６５０は、キーボード、テンキー、マウス、タッチセンシティブディスプレイ、デジタイザ、ナビゲーションキー、ファンクションキー、マイクロフォン、音声認識コンポーネント、ユーザからの入力を受信できるその他のメカニズム、またはそれらの任意の組み合わせを含むがこれらに限定されない１つまたは複数の入力デバイスを含み得る。さらに、ユーザインターフェースコンポーネント６５０は、ディスプレイ、スピーカ、触覚フィードバック機構、プリンタ、ユーザに出力を提示することができる任意の他の機構、またはそれらの任意の組み合わせを含むがこれらに限定されない１つまたは複数の出力デバイスを含み得る。
【００５９】
実施形態では、ユーザインターフェースコンポーネント６５０は、オペレーティングシステム６６０の動作に対応するメッセージを送信および／または受信することができる。さらに、プロセッサ６１０は、オペレーティングシステム６６０および／またはアプリケーションまたはプログラムを実行することができ、メモリ６２０またはデータストア６４０は、それらを格納することができる。
【００６０】
コンピュータデバイス６００がクラウドベースのインフラストラクチャソリューションの一部として実施される場合、ユーザインターフェースコンポーネント６５０は、クラウドベースのインフラストラクチャソリューションのユーザがコンピュータデバイス６００とリモートで対話することを可能にするために使用され得る。
【００６１】
図７Ａは、本開示の態様によるＱＩＰシステム７００の例を示すブロック図である。ＱＩＰシステム７００はまた、量子コンピューティングシステム、コンピュータデバイスなどと呼ばれ得る。一態様では、ＱＩＰシステム７００は、図６のコンピュータデバイス６００の量子コンピュータ実施の一部に対応することができる。
【００６２】
ＱＩＰシステム７００は、光コントローラ７２０（例えば、図７Ｂ参照）により一旦イオン化（光イオン化）された原子種をトラップするイオントラップ７７０を有するチャンバ７５０（例えば、図１Ａの真空チャンバ）に原子種（例えば、中性原子のフラックス）を提供するソース７６０を含むことができる。光学コントローラ７２０内の光源７３０は、光学コントローラ７２０内の画像化システム７４０で動作する画像処理アルゴリズムによって監視および追跡されることができる原子イオンの蛍光のためのおよび／または本開示に記載の光学制御機能を実行するために、原子種のイオン化、原子イオンの制御のために使用することができる１つまたは複数のレーザーソース（例えば、光またはレーザービームのソース）を含み得る。一態様では、光源７３０は、光学コントローラ７２０とは別に実施することができる。
【００６３】
画像化システム７４０は、原子イオンがイオントラップに提供されている間、またはそれらがイオントラップ７７０に提供された後に、原子イオンを監視するための高解像度イメージャ（例えば、ＣＣＤカメラ）を含むことができる。一態様では、画像化システム６４０は、光学コントローラ７２０とは別に実施することができるが、画像処理アルゴリズムを使用して原子イオンを検出、識別、および標識するための蛍光の使用は、光学コントローラ７２０と調整する必要があり得る。
【００６４】
ＱＩＰシステム７００はまた、ＱＩＰシステム７００の他の部分（図示せず）と共に動作して、単一キュービット操作および／またはマルチキュービット操作（例えば、２キュービット操作）ならびに拡張量子計算の組み合わせのスタックまたはシーケンスを含む、量子アルゴリズムまたは量子操作を実行し得るアルゴリズムコンポーネント７１０を含み得る。したがって、アルゴリズムコンポーネント７１０は、ＱＩＰシステム７００のさまざまなコンポーネント（例えば、光学コントローラ７２０）に命令を提供して、量子アルゴリズムまたは量子操作の実施を可能にし、その結果、本明細書に記載のさまざまな個別のアドレス指定光ビーム制御技術を実施することができる。
【００６５】
図７Ｂは、光学コントローラ７２０の少なくとも一部を示している。この例では、光学コントローラ７２０は、光源７３０および画像化システム７４０を含み得る。破線で示されるように、光源７３０および画像化システム７４０の一方または両方は、任意選択で、光学コントローラ７２０とは別個に、しかしそれと通信して実施され得る。画像化システム７４０は、ＣＣＤ７４１（または同様のイメージャまたはカメラ）および画像処理アルゴリズムコンポーネント７４２を含む。光源７３０は、ＡＷＧ（またはＤＤＳ）７３２ａ〜７３２ｄおよびレーザーソース７３４ａ〜７３４ｄを含み、これらは、上記の個々のアドレス指定光ビーム制御の１つまたは複数の機能に使用することができる。光源７３０はまた、グローバルラマン光ビーム２２０を放出および制御するためのグローバル変調器７３６およびグローバルレーザーソース７３８を含み得る。さらに、光学コントローラ７２０は、マルチチャネルＡＯＭ７３８の操作を制御するように構成されたマルチチャネルＡＯＭコントローラ７３７を含み得、これは、上記のマルチチャネルＡＯＭ３１０に対応し得る。上記のように、マルチチャネルＡＯＭ７３８は、複数のチャネルを有する単一のＡＯＭデバイス、単一のチャネルを有する複数のＡＯＭデバイス、または複数および／または単一のチャネルを有する複数のＡＯＭデバイスを使用して実施され得る。マルチチャネルＡＯＭコントローラ７３７はまた、例えば、上記の位相進行技術を使用することによって、それらの効果を修正または軽減するために、個々のトラップされたイオンの位相シフトを監視または追跡するように構成され得る。図示されていないが、図４の位置合わせシステム４００はまた、光学コントローラ７２０の一部として実施され得る。
【００６６】
図８を参照すると、量子操作のためのイオン鎖内のイオンの量子状態を制御する方法８００が示されている。一態様では、方法８００は、上記のコンピュータデバイス６００などのコンピュータシステムで実行することができ、ここで、例えば、プロセッサ６１０、メモリ６２０、データストア６４０、および／またはオペレーティングシステム６６０は、方法８００の機能を実行するために使用される。同様に、方法８００の機能は、ＱＩＰシステム７００およびその構成要素（例えば、光コントローラ７２０およびそのサブコンポーネント）などのＱＩＰシステムの１つまたは複数のコンポーネントによって実行され得る。
【００６７】
ブロック８０２において、方法８００は、第１の方向から、イオン鎖（例えば、線形結晶１１０）内のイオンに、グローバル光ビーム（例えば、グローバル光ビーム２２０）を提供することを含み得る。
【００６８】
ブロック８０４において、方法８００は、第１の方向とは異なる第２の方向から、イオン鎖内のイオンのサブセット内の各イオンに、それぞれのアドレス指定光ビーム（例えば、アドレス指定光ビーム２１０）を提供することを含み得る。一例では、第２の方向は第１の方向と反対である。別の例では、第２の方向は、第１の方向から９０度オフセットされている。
【００６９】
ブロック８０６において、方法８００は、マルチチャネルＡＯＭ（例えば、ＡＯＭ３１０）内のそれぞれのチャネルを使用して提供されるアドレス指定光ビームのそれぞれを動的に制御して、イオン鎖内のイオンのサブセットとともに、量子操作の量子ゲートのシーケンス（例えば、図５の量子ゲートのシーケンス）における１つ以上の量子ゲートを実施することを含み得る。
【００７０】
方法８００の一態様では、この方法は、イオン鎖内の複数のイオンの各々における蓄積された位相シフトを監視すること（例えば、光学コントローラ７２０および／またはマルチチャネルＡＯＭコントローラ７３７により）をさらに含み、提供されるアドレス指定光ビームのうちの１つは、それぞれのイオンの蓄積された位相シフトを補正するために提供されるアドレス指定光ビームの各々を独立して変調することを含む。
【００７１】
方法８００の一態様では、提供されるアドレス指定光ビームの各々を動的に制御することは、提供されるアドレス指定光ビームの各々を独立して変調して、それぞれのアドレス指定光ビームの１つまたは複数の光ビーム特性を制御することを含む。１つまたは複数の光ビーム特性は、周波数、位相、または振幅のうちの１つまたは複数を含む。場合によっては、偏光は、何らかの形の制御を必要とする可能性のある光ビームの特性でもあり得る。さらに、提供されるアドレス指定光ビームの各々を独立して変調することは、ＡＯＭ内のそれぞれのチャネルに適用されるＲＦ信号を独立して変調して、それぞれのアドレス指定光ビームの光ビーム特性を変更することを含む。
【００７２】
方法８００の一態様では、量子操作の量子ゲートのシーケンスは、１つまたは複数の単一キュービットゲート、１つまたは複数の２キュービットゲート、またはそれらの組み合わせを含む（例えば、図５参照）。１つまたは複数の単一キュービットゲートのいずれか１つについて、それぞれのアドレス指定光ビームは、スピンフリップを生成するために単一の周波数またはトーンを有するように動的に制御される。１つまたは複数の２キュービットゲートのいずれか１つについて、それぞれのアドレス指定光ビームは、運動側波帯を駆動するために２つの周波数またはトーンを有するように動的に制御される。
【００７３】
方法８００の一態様では、続いて、第２の方向から、イオン鎖内のイオンの異なるサブセット内の各イオンに、それぞれのアドレス指定光ビームを提供する。そして、マルチチャネルＡＯＭのそれぞれのチャネルを使用して、イオン鎖とともに、量子操作の量子ゲートのシーケンスにおける１つまたは複数の異なる量子ゲートを実施することによって、イオン鎖内のイオンの異なるサブセットに提供されるアドレス指定光ビームの各々を動的に制御する。
【００７４】
方法８００の一態様では、第１の方向から提供されるグローバル光ビームおよび第２の方向から提供されるアドレス指定光ビームの各々は、逆伝搬ラマン光ビームとして動作する。
【００７５】
本開示の前述の説明は、当業者が本開示を作成または使用できるようにするために提供されている。本開示に対するさまざまな修正は、当業者には容易に明らかであり、本明細書で定義される共通の原理は、本開示の精神または範囲から逸脱することなく、他の変形に適用され得る。さらに、説明された態様の要素は、単数形で説明または主張され得るが、単数形への限定が明示的に述べられていない限り、複数形が企図される。さらに、特に明記しない限り、任意の態様の全部または一部を他の任意の態様の全部または一部とともに利用することができる。したがって、本開示は、本明細書に記載の実施例および設計に限定されるものではなく、本明細書に開示される原理および新規の特徴と一致する最も広い範囲を与えられるべきである。
【図１Ａ】
2021531578.tif 000067
【図１Ｂ】
2021531578.tif 000068
【図１Ｃ】
2021531578.tif 000069
【図２Ａ】
2021531578.tif 000070
【図２Ｂ】
2021531578.tif 000071
【図３】
2021531578.tif 000072
【図４】
2021531578.tif 000073
【図５】
2021531578.tif 000074
【図６】
2021531578.tif 000075
【図７Ａ】
2021531578.tif 000076
【図７Ｂ】
2021531578.tif 000077
【図８】
2021531578.tif 000078
【手続補正書】
【提出日】令和2年5月20日(2020.5.20)
【手続補正１】
【補正対象書類名】特許請求の範囲
【補正対象項目名】全文
【補正方法】変更
【補正の内容】
【特許請求の範囲】
【請求項１】
量子操作のためにイオン鎖内のイオンの量子状態を制御する方法であって、
第１の方向から、イオン鎖内のイオンに、グローバル光ビームを提供することと、
第１の方向とは異なる第２の方向から、イオン鎖内のイオンのサブセット内の各イオンに、それぞれのアドレス指定光ビームを提供することと、
イオン鎖内のイオンのサブセットとともに、量子操作の量子ゲートのシーケンスにおける１つまたは複数の量子ゲートを実施するために、マルチチャネル音響光学変調器（ＡＯＭ）のそれぞれのチャネルを使用することにより提供されるアドレス指定光ビームの各々を動的に制御することと、
イオン鎖内のイオンの各々の蓄積された位相シフトを監視することと、
量子操作のゲートのステージのシーケンスにおけるゲートの各ステージの各出力に位相進みを同時に適用することにより、それぞれのイオンに蓄積された位相シフトを修正することと、
を含む、方法。
【請求項２】
前記第２の方向は、前記第１の方向と反対である、請求項１に記載の方法。
【請求項３】
前記第２の方向は、前記第１の方向から９０度オフセットされている、請求項１に記載の方法。
【請求項４】
提供されるアドレス指定光ビームの各々を動的に制御することは、提供されるアドレス指定光ビームの各々を独立して変調して、それぞれのイオンに蓄積された位相シフトを補正することを含む、請求項１に記載の方法。
【請求項５】
１つまたは複数の量子ゲートを実施するために提供されるアドレス指定光ビームの各々を動的に制御することは、２キュービット回転および２キュービットゲートの組み合わせが、グローバル光ビームの相対的な光学位相および、ラマン遷移を駆動するそれぞれのアドレス指定光ビームの影響を受けないように、２キュービットゲートの前に単一キュービット回転を実施し、２キュービットゲートの後に別の単一キュービット回転を実施することを含む、請求項１に記載の方法。
【請求項６】
提供されるアドレス指定光ビームの各々を動的に制御することは、提供されるアドレス指定光ビームの各々を独立して変調して、それぞれのアドレス指定光ビームの１つまたは複数の光ビーム特性を制御することを含む、請求項１に記載の方法。
【請求項７】
前記１つまたは複数の光ビーム特性は、周波数、位相、または振幅のうちの１つまたは複数を含む、請求項６に記載の方法。
【請求項８】
提供されるアドレス指定光ビームの各々を独立して変調することは、ＡＯＭ内のそれぞれのチャネルに適用される無線周波数（ＲＦ）信号を独立して変調して、それぞれのアドレス指定光ビームの光ビーム特性を変更することを含む、請求項６に記載の方法。
【請求項９】
量子操作の量子ゲートのシーケンスは、１つまたは複数の単一キュービットゲート、１つまたは複数の２キュービットゲート、またはそれらの組み合わせを含む、請求項１に記載の方法。
【請求項１０】
前記１つまたは複数の単一キュービットゲートのいずれか１つについて、それぞれのアドレス指定光ビームは、スピンフリップを生成するために単一の周波数またはトーンを有するように動的に制御される、請求項９に記載の方法。
【請求項１１】
前記１つまたは複数の２キュービットゲートのいずれか１つについて、それぞれのアドレス指定光ビームは、運動側波帯を駆動するために２つの周波数またはトーンを有するように動的に制御される、請求項９に記載の方法。
【請求項１２】
その後、前記第２の方向から、イオン鎖内のイオンの異なるサブセット内の各イオンに、それぞれのアドレス指定光ビームを提供すること、
およびイオン鎖内のイオンの異なるサブセットとともに、量子操作の量子ゲートのシーケンスにおける１つまたは複数の異なる量子ゲートを実施するために、マルチチャネルＡＯＭのそれぞれのチャネルを使用することにより、イオン鎖内のイオンの異なるサブセットに提供されるアドレス指定光ビームの各々を動的に制御すること、
をさらに含む、請求項１に記載の方法。
【請求項１３】
前記第２の方向は前記第１の方向と反対であり、または前記第２の方向は前記第１の方向から９０度オフセットされている、請求項１２に記載の方法。
【請求項１４】
前記第１の方向から提供されるグローバル光ビームおよび前記第２の方向から提供されるアドレス指定光ビームの各々は、逆伝搬ラマン光ビームとして動作する、請求項１に記載の方法。
【請求項１５】
量子操作のためのイオン鎖内のイオンの量子状態を制御する量子情報処理（ＱＩＰ）システムであって、
イオン鎖を実施するように構成されたイオントラップと、
第１の方向から、イオン鎖内のイオンにグローバル光ビームを提供するように構成された第１の光源と、
第１の方向とは異なる第２の方向から、イオン鎖内のイオンのサブセット内の各イオンに、それぞれのアドレス指定光ビームを提供するように構成された第２の光源のセットと、
マルチチャネル音響光学変調器（ＡＯＭ）と、
イオン鎖内のイオンのサブセットとともに、量子操作の量子ゲートのシーケンスにおける１つまたは複数の量子ゲートを実施するために、マルチチャネルＡＯＭ内のそれぞれのチャネルを使用することにより、提供されるアドレス指定光ビームの各々を制御するために、第２の光源のセットを動的に制御するように構成された光学コントローラと、を備え、
光学コントローラは、イオン鎖内のイオンの各々の蓄積された位相シフトを監視するように、および量子操作のゲートのステージのシーケンスにおけるゲートの各ステージの各出力に位相進みを同時に適用することにより、それぞれのイオンに蓄積された位相シフトを修正するようにさらに構成される、
ＱＩＰシステム。
【請求項１６】
前記第２の方向は前記第１の方向と反対である、請求項１５に記載のＱＩＰシステム。
【請求項１７】
前記第２の方向は、前記第１の方向から９０度オフセットされている、請求項１５に記載のＱＩＰシステム。
【請求項１８】
第２の光源のセットを動的に制御して量子ゲートのシーケンスにおける１つまたは複数の量子ゲートを実施するために、量子操作の量子ゲートのシーケンスに関連する命令を光学コントローラに提供するように構成されたアルゴリズムコンポーネントをさらに備える、請求項１５に記載のＱＩＰシステム。
【請求項１９】
光学コントローラは、１つまたは複数の波形発生器を含み、そして、それぞれのイオンに蓄積された位相シフトを補正するために、１つまたは複数の波形発生器を用いて、提供されるアドレス指定光ビームの各々を独立して変調することによって、提供されるアドレス指定光ビームの各々を動的に制御するように構成される、
請求項１５に記載のＱＩＰシステム。
【請求項２０】
１つまたは複数の量子ゲートを実施するために、提供されるアドレス指定光ビームの各々を制御するために第２の光源のセットを動的に制御するように構成された光学コントローラは、２キュービット回転および２キュービットゲートの組み合わせが、グローバル光ビームの相対的な光学位相および、ラマン遷移を駆動するそれぞれのアドレス指定光ビームの影響を受けないように、２キュービットゲートの前に単一キュービット回転を実施し、２キュービットゲートの後に別の単一キュービット回転を実施するようにさらに構成される、請求項１５に記載のＱＩＰシステム。
【請求項２１】
光学コントローラは、１つまたは複数の波形発生器を含み、そして、それぞれのアドレス指定光ビームの１つまたは複数の光ビーム特性を制御するために、１つまたは複数の波形発生器を用いて、提供されるアドレス指定光ビームの各々を独立して変調することによって、提供されるアドレス指定光ビームの各々を動的に制御するように構成される、請求項１５に記載のＱＩＰシステム。
【請求項２２】
前記１つまたは複数の光ビーム特性は、周波数、位相、または振幅のうちの１つまたは複数を含む、請求項２１に記載のＱＩＰシステム。
【請求項２３】
１つまたは複数の波形発生器を用いて、提供されるアドレス指定光ビームの各々を独立して変調することは、ＡＯＭ内のそれぞれのチャネルに適用される無線周波数（ＲＦ）信号を独立して変調して、それぞれのアドレス指定光ビームの光ビーム特性を変更することを含む、請求項２１に記載のＱＩＰシステム。
【請求項２４】
量子操作の量子ゲートのシーケンスは、１つまたは複数の単一キュービットゲート、１つまたは複数の２キュービットゲート、またはそれらの組み合わせを含む、請求項１５に記載のＱＩＰシステム。
【請求項２５】
前記１つまたは複数の単一キュービットゲートのいずれか１つについて、光学コントローラは、スピンフリップを生成するために単一の周波数またはトーンを有するように、それぞれのアドレス指定光ビームを動的に制御するように構成される、請求項２４に記載のＱＩＰシステム。
【請求項２６】
前記１つまたは複数の２キュービットゲートのいずれか１つについて、光学コントローラは、運動側波帯を駆動するために２つの周波数またはトーンを有するように、それぞれのアドレス指定光ビームを動的に制御するように構成される、請求項２４に記載のＱＩＰシステム。
【請求項２７】
第２の光源のセットは、その後、前記第２の方向から、イオン鎖内のイオンの異なるサブセット内の各イオンに、それぞれのアドレス指定光ビームを提供するように構成され、
光コントローラは、イオン鎖内のイオンの異なるサブセットとともに、量子操作の量子ゲートのシーケンスにおける１つまたは複数の異なる量子ゲートを実施するために、マルチチャネルＡＯＭのそれぞれのチャネルを使用することにより、イオン鎖内のイオンの異なるサブセットに提供されるアドレス指定光ビームの各々を動的に制御するように構成される、
請求項１５に記載のＱＩＰシステム。
【請求項２８】
前記第２の方向は第１の方向と反対であり、または前記第２の方向は第１の方向から９０度オフセットされている、請求項２７に記載のＱＩＰシステム。
【請求項２９】
前記第１の方向から提供されるグローバル光ビームおよび前記第２の方向から提供されるアドレス指定光ビームの各々は、逆伝搬ラマン光ビームとして動作する、請求項１５に記載のＱＩＰシステム。
【国際調査報告】
2021531578.tif 000079
2021531578.tif 000080